(57)【要約】【課題】３枚以上の扉を有する上吊り引戸において、扉の下端部を床面に支持して前後の振れを安定して抑制し見映えの向上を図った上で扉の種類を少なくし施工を容易化する。【解決手段】３枚の扉１１〜１３の下面に、閉塞端部を有する扉下ガイド溝１６を設け、床面上に、前側から２枚目の第２扉１２の扉下ガイド溝１６に係合する床付けガイド部材１８を固定する。第２扉１２の右端部に、前側の第１扉１１の扉下ガイド溝１６にスライド移動可能に係合する扉付けガイド部材２１を、また左端部には、後側の第３扉１３の扉下ガイド溝１６にスライド移動可能に係合する扉付けガイド部材２２をそれぞれ固定し、全ての扉１１〜１３が前後に重なって扉枠１内開口の左側が開放される第１開き状態と、第１及び第２扉１１，１２が前後に重なりかつ第３扉１３が両扉１１，１２よりも左側に位置して、扉枠１内開口の右側が開放される第２開き状態とを取り得るようにする。【選択図】図４
2020200642.tif 000002
【特許請求の範囲】
【請求項１】
上枠及び左右の縦枠を有する扉枠内に、前側から後側に向かって順に並んだ３枚以上の扉がそれぞれ上記上枠に左右方向にスライド移動可能に吊下げ支持された状態で配置され、扉のスライド移動により扉枠内の開口を開閉するようにした上吊り引戸であって、
各扉の下面には、左右方向に延びて端部が閉塞端部とされた扉下ガイド溝が設けられ、
前側から２枚目の第２扉が移動する床面上には、該第２扉の扉下ガイド溝に係合して第２扉を案内する第２扉用床付けガイド部材が固定され、
上記第２扉の左右方向の一端部には、該第２扉の前側に隣接する第１扉の扉下ガイド溝にスライド移動可能に係合する前側扉付けガイド部材が固定されている一方、左右方向の他端部には、第２扉の後側に隣接する第３扉の扉下ガイド溝にスライド移動可能に係合する後側扉付けガイド部材が固定されており、
閉じ状態では、全ての扉が互いに左右方向にずれて扉枠内開口が閉鎖される一方、開き状態では、全ての扉が全体的に前後に重なって扉枠内開口の左右一側部が開放される第１開き状態と、上記第１及び第２扉が全体的に前後に重なり、第１及び第２扉を除く他の扉が第１及び第２扉から左右方向にずれた位置に位置して、扉枠内開口の左右他側部が開放される第２開き状態とを取り得るように構成されていることを特徴とする上吊り引戸。
【請求項２】
請求項１において、
第３扉の後側に１枚以上の扉が配置されていて扉が４枚以上あり、
第３扉又はその後側にある扉の左右方向の一端部に、該扉に後側に隣接する扉の扉下ガイド溝にスライド移動可能に係合する扉付けガイド部材が固定されていることを特徴とする上吊り引戸。
【請求項３】
上枠及び左右の縦枠を有する扉枠内に、前側から後側に向かって順に並んだ３枚以上の扉がそれぞれ上記上枠に左右方向にスライド移動可能に吊下げ支持された状態で配置され、扉のスライド移動により扉枠内の開口を開閉するようにした上吊り引戸であって、
各扉の下面には、左右方向に延びて端部が閉塞端部とされた扉下ガイド溝が設けられ、
前側から１枚目の第１扉が移動する床面上には、該第１扉の扉下ガイド溝に係合して第１扉を案内する第１扉用床付けガイド部材が、また２枚目の第２扉が移動する床面上には、該第２扉の扉下ガイド溝に係合して第２扉を案内する第２扉用床付けガイド部材がそれぞれ固定され、
上記第２扉の左右方向の一端部には、該第２扉の後側に隣接する第３扉の扉下ガイド溝にスライド移動可能に係合する後側扉付けガイド部材が固定されており、
閉じ状態では、全ての扉が互いに左右方向にずれて扉枠内開口が閉鎖される一方、開き状態では、全ての扉が全体的に前後に重なって扉枠内開口の左右一側部が開放される第１開き状態と、上記第１及び第２扉が全体的に前後に重なり、第１及び第２扉を除く他の扉が第１及び第２扉から左右方向にずれた位置に位置して、扉枠内開口の左右他側部が開放される第２開き状態とを取り得るように構成されていることを特徴とする上吊り引戸。
【請求項４】
請求項３において、
第３扉の後側に１枚以上の扉が配置されていて扉が４枚以上あり、
第３扉又はその後側にある扉の左右方向の一端部に、該扉に後側に隣接する扉の扉下ガイド溝にスライド移動可能に係合する扉付けガイド部材が固定されていることを特徴とする上吊り引戸。
【請求項５】
請求項１〜４のいずれか１つにおいて、
扉下ガイド溝の閉塞端部に床付けガイド部材又は扉付けガイド部材の衝突を緩和する緩衝部材が設けられていることを特徴とする上吊り引戸。
【請求項６】
請求項１〜５のいずれか１つにおいて、
扉枠の縦枠に扉の左右端部が当接したときに該扉の左右端部が前後方向に振れるのを規制する規制機構が設けられていることを特徴とする上吊り引戸。
【発明の詳細な説明】
【技術分野】
【０００１】
本発明は、上吊り引戸に関する。
【背景技術】
【０００２】
一般に、複数の扉を幅方向にスライド移動させて建物の開口部を開閉する引違い戸においては、床面のバリアフリーや掃除のし易さ、外観上の見た目等の観点から、床面に設置されて扉の下部を案内する下レールを排除することが望ましい。この下レールの排除により扉が上端部だけで扉枠の上枠にスライド移動可能に吊下げ支持されることで、引違い戸は上吊り型のものとなる。しかし、このように扉を上端部だけで吊り下げると、各扉が下端部で支持されていないことに起因して、扉が厚さ方向（前後方向）に個別に揺れるのは避けられず、動作の安定性に欠けて使い勝手が悪く、何等かの対策が必要となる。
【０００３】
ところで、従来、例えば特許文献１ないし特許文献３に示されるように、扉の厚さ方向（前後方向）に揺れを規制するようにした引違い戸が提案されている。特許文献１に示される引違い戸は、各扉（障子）の下面にその長さ方向に延びる溝部を形成し、互いに隣接する扉の一方に他方の扉に亘るように規制部材を取り付け、その規制部材先端のブロック材を他方の扉の溝部に係合させることで、扉が厚さ方向に相対移動するのを規制部材によって規制するようにしている。
【０００４】
また、特許文献２に示される吊り戸装置では、複数枚の扉のうち最も奥側（壁側）に位置する奥側扉の下端部をスライドレールによって床面にスライド移動可能にかつ前後移動不能に支持する一方、他の扉の下面にもスライドレールを固定し、そのスライドレールの可動側レール体を奥側扉の下端部にジョイント部材によって連結することにより、他の扉が奥側扉に対し前後方向に相対移動できないようにしている。
【０００５】
さらに、特許文献３のものでは、複数列に並んだ扉（障子）を備えた上吊り式引戸タイプの建具において、各扉の下框下面にその長さ方向に延びる凹陥部（溝部）を形成し、隣接する扉のうちの一方の扉の下框の他方扉側の側面に扉の幅全体に亘って延びる案内溝を有するガイドレールを取り付け、他方の扉における幅方向一端部の上記凹陥部内に、上記ガイドレールの案内溝に移動可能に係合するガイド片を有するガイドを取り付ける。そして、一方の扉における幅方向他端部の凹陥部にガイド部材を、そのガイド部が他方の扉の凹陥部に移動可能に係合されるように取り付け、一方の扉に対し他方の扉と反対側にある他の扉をその凹陥部に係合される床固定ガイドによって案内するようになっている。
【先行技術文献】
【特許文献】
【０００６】
【特許文献１】特許第３９５２３０６号公報
【特許文献２】特許第３６１８３２９号公報
【特許文献３】特許第５５５００６５号公報
【発明の概要】
【発明が解決しようとする課題】
【０００７】
上記特許文献１のものでは、扉同士が規制部材によって連結されているので、各扉の厚さ方向の相対的な振れが抑制され、扉の連動が可能で開閉も容易になる。その反面、複数の扉を下端部で連結しているだけで、それら扉のうち下端部が床面に支持されている扉はないので、扉全体の振れを規制することはできない。
【０００８】
一方、特許文献２に示される吊り戸装置では、奥側扉の下端部がスライドレールによって床面に前後移動不能に支持され、その奥側扉に他の扉がジョイント部材によって連結されているので、扉全体の振れを規制することはできる。しかし、奥側扉の下端部を床面に支持するスライドレールが必要となり、そのスライドレールが最も奥側（壁側）に位置しているとはいえ、奥側扉の開閉位置の如何によってはスライドレールが露出し、見映えが悪くなるだけでなく、開き方向の制限も生じる。
【０００９】
また、特許文献３のものでは、複数列の扉のうち配列方向端部に位置する扉を床固定ガイドによって床に支持しているので、その床固定ガイドが露出することはなく、見映えはよくなる。しかし、複数列の扉のうち配列方向の一端部に位置する扉を床固定ガイドによって支持しているので、配列方向の他端部に位置する扉については、床固定ガイドによる床の支持位置から大きく離れることとなり、その厚さ方向の振れが大きくなる難がある。
【００１０】
また、複数枚の扉として、例えば幅方向一側に引手が、また他側にガイド部材がそれぞれ取り付けられた扉と、幅方向一側部に引手が、また他側に引手及びガイド部材がそれぞれ取り付けられた扉と、幅方向他端部に引手が取り付けられ、ガイド部材が取り付けられていない扉との互いの異なる３種類の扉を用意する必要があり、それら扉の種類の管理が複雑になる。
【００１１】
本発明は斯かる諸点に鑑みてなされたものであり、その目的は、上吊り引戸の構造に特定の工夫を加えることで、扉の下端部を床面に支持して扉の個別の振れだけでなく全体の振れをも安定して抑制するとともに、扉がどのような開閉位置にあっても下端部の床面への支持部材や扉同士の連結部材が現れないようにして見映えの向上を図り、その上で、扉の種類を少なくしようとすることにある。
【課題を解決するための手段】
【００１２】
上記の目的の達成のため、この発明では、３枚以上の扉の各々の下面にガイド溝を設け、配列方向一側から２枚目の中間扉は、その下面のガイド溝を床面上のガイド部材に係合してスライド移動可能とし、配列方向一側の扉については、中間扉に対し下面のガイド溝に係合する扉付けガイド部材によってスライド移動可能に連結するか、床面上の別のガイド部材に係合してスライド移動可能とし、残りの扉については、中間扉又は隣接する扉に対し、下面のガイド溝に係合する扉付けガイド部材によってスライド移動可能に連結するようにした。
【００１３】
具体的には、第１の発明は、上枠及び左右の縦枠を有する扉枠内に、前側から後側に向かって順に並んだ３枚以上の扉がそれぞれ上記上枠に左右方向（扉の幅方向）にスライド移動可能に吊下げ支持された状態で配置され、扉のスライド移動により扉枠内の開口を開閉するようにした上吊り引戸であって、各扉の下面には、左右方向に延びて端部が閉塞端部とされた扉下ガイド溝が設けられ、前側から２枚目（２番目）の第２扉が移動する床面上には、該第２扉の扉下ガイド溝に係合して第２扉を案内する第２扉用床付けガイド部材が固定され、上記第２扉の左右方向の一端部には、該第２扉の前側に隣接する第１扉の扉下ガイド溝にスライド移動可能に係合する前側扉付けガイド部材が固定されている一方、左右方向の他端部には、第２扉の後側に隣接する第３扉の扉下ガイド溝にスライド移動可能に係合する後側扉付けガイド部材が固定されており、閉じ状態では、全ての扉が互いに左右方向にずれて扉枠内開口が閉鎖される一方、開き状態では、全ての扉が全体的に前後に重なって扉枠内開口の左右一側部が開放される第１開き状態と、第１及び第２扉が全体的に前後に重なり、第１及び第２扉を除く他の扉が第１及び第２扉から左右方向にずれた位置に位置して、扉枠内開口の左右他側部が開放される第２開き状態とを取り得るように構成されていることを特徴とする。
【００１４】
尚、本発明において、「前」とは、上吊り引戸によって仕切られる２つの空間の一方の側を、また「後」は同他方の側をそれぞれ意味し、「左」及び「右」はそれぞれ「前」側から見たときの左側及び右側を意味している。従って、これらの記載は特定ないし限定の意味がなく、構成を説明するための便宜上のものである。
【００１５】
この第１の発明では、扉枠の上枠に３枚以上の扉がそれぞれ前後に並んだ状態で左右方向にスライド移動可能に吊下げ支持されているので、扉のスライド移動により扉枠内の開口が開閉される。すなわち、各扉の下面には閉塞端部を有する扉下ガイド溝が設けられ、前側から２枚目の第２扉に前後２つの扉付けガイド部材が固定され、それら扉付けガイド部材はそれぞれ第２扉に前後に隣接する第１及び第３扉の扉下ガイド溝にスライド移動可能に係合しているので、第１又は第３扉を左右方向にスライド移動させると、それに伴い該扉の扉下ガイド溝の閉塞端部に第２扉の扉付けガイド部材が引っ掛かり、両扉は一体的にスライド移動して開閉移動する。そして、このような扉のスライド移動により、全ての扉の全体が互いに左右方向にずれたときには、扉枠内の開口が閉じられる。また、全ての扉が全体的に前後に重なったときには、第１開き状態となって扉枠内開口の左右一側部が開放される。さらに、第１及び第２扉が全体的に前後に重なり、残りの扉が第１及び第２扉よりも左右方向にずれた位置に位置したときには、第２開き状態となって扉枠内開口の左右他側部が開放される。
【００１６】
上記前側から２枚目の第２扉が移動する床面上には床付けガイド部材が固定され、この床付けガイド部材は第２扉下面の扉下ガイド溝に係合しているので、この係合により第２扉は床付けガイド部材により前後移動不能に規制されながら左右方向に一定範囲をスライド移動する。また、上記のように第２扉に固定されている前後２つの扉付けガイド部材はそれぞれ第２扉に前後に隣接する第１及び第３扉下面の扉下ガイド溝にスライド移動可能に係合しているので、第１及び第３扉は扉付けガイド部材により第２扉に対し前後移動不能に規制されながら左右方向にスライド移動する。
【００１７】
このことで、少なくとも３枚の扉は、第２扉にあっては直接に、またその前後の第１及び第３扉にあっては扉付けガイド部材を介して間接的にそれぞれ床付けガイド部材に前後方向の移動が規制された状態となり、３枚の扉が個別に前後方向に振れるのは勿論のこと、扉全体が前後方向に振れるのも規制することができ、上吊り引戸に動作の安定性が得られる。
【００１８】
また、床付けガイド部材は第２扉が移動する床面上に固定されているので、第２扉がその移動範囲のどのような位置（第１及び第２開き状態を含む）にあっても、その第２扉の下側に床付けガイド部材が隠蔽されるようになり、扉枠内の開口が開く第１及び第２開き状態ではいずれも床面に部材のないフラットな構造が得られ、この構造により、意匠性がよくなって引戸両側の空間が一続きに見え、また通過時に足が引っ掛からず、さらには掃除がし易くなる効果を奏する。また、第２扉に固定されている前後２つの扉付けガイド部材は、それら扉付けガイド部材が扉下ガイド溝に係合している状態にある限り、隣接する第１及び第３扉の重なった部分の間に位置して外部から隠蔽される。このように床付けガイド部材及び扉付けガイド部材が隠蔽されて、通常の状態で使用者から見えることはなく、見映えの向上を図ることができる。
【００１９】
そして、複数の扉の配列方向の中間部に位置する第２扉が床付けガイド部材によって床に支持されているので、特許文献３の構造のように、同配列方向の一端部に位置する扉が床に支持されている構造に比べて、複数の扉の配列方向の他端部に位置する扉の第２扉との距離は短くなり、それら全ての扉の振れを小さくすることができる。
【００２０】
また、前から２枚目の第２扉の左右両端部にそれぞれ扉付けガイドが固定され、その扉付けガイドは第１及び第３扉の扉下ガイド溝に係合され、第２扉がその扉下ガイド溝と床付けガイド部材との係合により床に支持されているので、第１扉と第３扉とは扉下ガイド溝を有するだけの同じものを用いることができる。また、第３扉の後側に扉が配置されていて扉が４枚ある場合には、その４枚目の扉は第１扉と同じものとなる。扉が５枚以上ある場合には、その５枚目の第５扉は第１扉と同じものとなり、第４扉は第３扉と同じものになる。すなわち、扉がｎ枚（ｎは５以上の自然数）あるときに、前からｎ枚目の第ｎ扉及び第１扉つまり前後端の扉同士は互いに同じものとなり、第２扉を除く他の複数の扉同士は互いに同じものとなり、扉は３種類となる。そのため、扉付けガイド部材及び引手の有無に関して、３枚の扉のときには、第２扉と他の扉との２種類で済み、４枚以上の扉があっても、第２扉と第１及び第４扉と他の扉との３種類で済み、扉の種類の管理が簡単になる。また、このように同じ種類の扉があるので、施工時に同じ種類の扉を区別する必要がなくなり、その分、施工が容易となる。
【００２１】
第２の発明は、第１の発明において、第３扉の後側に１枚以上の扉が配置されていて扉が４枚以上あり、第３扉又はその後側にある扉の左右方向の一端部に、該扉に後側に隣接する扉の扉下ガイド溝にスライド移動可能に係合する扉付けガイドが固定されていることを特徴とする。
【００２２】
この第２の発明では、第３扉又はその後側の扉にも扉付けガイドが固定され、これら扉付けガイドは該扉に後側に隣接する扉の扉下ガイド溝にスライド移動可能に係合しているので、この係合により第３扉の後側の扉は扉付けガイドにより間接的に第２扉に対し前後移動不能に規制されながら左右方向にスライド移動する。このことで、４枚以上の扉であっても、第１の発明と同様の作用効果が得られる。
【００２３】
第３の発明は、第１の発明と同様に、上枠及び左右の縦枠を有する扉枠内に、前側から後側に向かって順に並んだ３枚以上の扉がそれぞれ上記上枠に左右方向にスライド移動可能に吊下げ支持された状態で配置され、扉のスライド移動により扉枠内の開口を開閉するようにした上吊り引戸であって、各扉の下面には、左右方向に延びて端部が閉塞端部とされた扉下ガイド溝が設けられている。
【００２４】
そして、前側から１枚目の第１扉が移動する床面上には、該第１扉の扉下ガイド溝に係合して第１扉を案内する第１扉用床付けガイド部材が、また２枚目の第２扉が移動する床面上には、該第２扉の扉下ガイド溝に係合して第２扉を案内する第２扉用床付けガイド部材がそれぞれ固定され、上記第２扉の左右方向の一端部には、該第２扉の後側に隣接する第３扉の扉下ガイド溝にスライド移動可能に係合する後側扉付けガイド部材が固定されており、閉じ状態では、全ての扉が互いに左右方向にずれて扉枠内開口が閉鎖される一方、開き状態では、全ての扉が全体的に前後に重なって扉枠内開口の左右一側部が開放される第１開き状態と、上記第１及び第２扉が全体的に前後に重なり、第１及び第２扉を除く他の扉が第１及び第２扉から左右方向にずれた位置に位置して、扉枠内開口の左右他側部が開放される第２開き状態とを取り得るように構成されていることを特徴とする。
【００２５】
この第３の発明では、前から１枚目の第１扉が移動する床面上にも第１扉用の床付けガイド部材が固定され、この床付けガイド部材に第１扉の扉下ガイド溝が係合されて、その第１扉が案内される。このことで、２枚目の第２扉だけでなく１枚目の第１扉も下部が床付けガイド部材によって支持されることとなり、複数の扉の前後の振れをさらに効果的に規制することができる。
【００２６】
第４の発明は、第３の発明において、第３扉の後側に１枚以上の扉が配置されていて扉が４枚以上あり、第３扉又はその後側にある扉の左右方向の一端部に、該扉に後側に隣接する扉の扉下ガイド溝にスライド移動可能に係合する扉付けガイド部材が固定されていることを特徴とする。この第４の発明においても、第２の発明と同様の作用効果を奏することができる。
【００２７】
第５の発明は、第１〜第４の発明のいずれか１つにおいて、扉下ガイド溝の閉塞端部に床付けガイド部材又は扉付けガイド部材の衝突を緩和する緩衝部材が設けられていることを特徴とする。こうすれば、扉がスライド移動して扉下ガイド溝内で床付けガイド部材や扉付けガイド部材が移動し、その移動端で扉下ガイド溝の閉塞端部に衝突したとしても、その衝突は閉塞端部に位置する緩衝部材によって緩和される。このことで、扉下ガイド溝の変形等による扉の破損を防いで上吊り引戸の動作安定性や信頼性を高めることができる。
【００２８】
第６の発明は、第１〜第５の発明のいずれか１つにおいて、扉枠の縦枠に扉の左右端部が当接したときに該扉の左右端部が前後方向に振れるのを規制する規制機構が設けられていることを特徴とする。
【００２９】
この第６の発明では、扉の左右端部が縦枠に当接したときに、扉が前後方向に振れようとしても、その下端部が床付けガイドによって規制されるだけでなく、左右端部も規制機構によって規制されるようになり、上吊り引戸の動作安定性をさらに高めることができる。
【発明の効果】
【００３０】
以上説明した如く、本発明によると、少なくとも３枚の扉を有する上吊り引戸に対し、各扉の下面に扉下ガイド溝を設け、前から２番目の第２扉の扉下ガイド溝に床面上の床付けガイドを係合し、その第２扉に、前後に隣接する第１及び第３扉の扉下ガイド溝に係合する前後の扉付けガイドを設けたことにより、扉の下端部を直接又は間接に床付けガイドにより床面に支持し、扉個別の振れ及び扉全体の振れを抑制して上吊り引戸の動作安定性の向上を図るとともに、床付けガイド及び扉付けガイドを隠蔽して、上吊り引戸の見映えの向上を図ることができ、さらには扉の種類を少なくして施工を容易化することができる。
【図面の簡単な説明】
【００３１】
【図１】図１は、本発明の実施形態に係る上吊り引戸の全体構成を前側から見て示す斜視図である。
【図２】図２は、閉じ状態にある上吊り引戸を前側から見て示す正面図である。
【図３】図３は、上吊り引戸を鉛直方向に切断したときの拡大断面図である。
【図４】図４は、閉じ状態にある上吊り引戸の水平断面図である。
【図５】図５は、閉じ状態から第３扉を開き始めた状態を示す図４相当図である。
【図６】図６は、扉枠内開口の左側部が開いた第１開き状態を示す図４相当図である。
【図７】図７は、第１開き状態から第３扉を閉じ始めた状態を示す図４相当図である。
【図８】図８は、閉じ状態から第１扉を開き始めた状態を示す図４相当図である。
【図９】図９は、扉枠内開口の右側部が開いた第２開き状態を示す図４相当図である。
【図１０】図１０は、第２開き状態から第１扉を閉じ始めた状態を示す図４相当図である。
【図１１】図１１は、扉枠内開口の左側部が開いた第１開き状態を示す図２相当図である。
【図１２】図１２は、扉枠内開口の右側部が開いた第２開き状態を示す図２相当図である。
【発明を実施するための形態】
【００３２】
以下、本発明の実施形態を図面に基づいて詳細に説明する。以下の実施形態の説明は、本質的に例示に過ぎず、本発明、その適用物或いはその用途を制限することを意図するものでは全くない。
【００３３】
図１及び図２は本発明の実施形態に係る上吊り引戸Ｓの全体構成を示し、この上吊り引戸Ｓは建物の例えば間仕切り壁等の開口部に施工される。図１及び図２において、１は開口部周囲の上部及び側部に取り付けられた扉枠で、この扉枠１は、左右方向（図２で左右方向）に水平に延びる上枠２（鴨居）と上下方向に平行に延びる右縦枠３及び左縦枠４とを有する三方枠で、これらはいずれも例えば１５４ｍｍ程度の広い幅の板材からなる（図３〜図１０参照）。尚、本実施形態においても、「前」とは、上吊り引戸Ｓによって仕切られる２つの空間の一方の側（図２では手前側）を、また「後」は同他方の側（同奥側）をそれぞれ意味し、「左」及び「右」はそれぞれ「前」側から見たときの左側及び右側を意味している。これらの記載は特定ないし限定の意味がなく、構成を説明するための便宜上のものである。
【００３４】
上記扉枠１内には、高さ及び左右方向の幅（例えば８５８ｍｍ）が互いに同じとされた３枚の扉１１〜１３が配置されている。図３及び図４にも示すように、これらの扉１１〜１３は、前側（図４下側）から後側（同上側）に向かって順に並んだ第１〜第３扉であり、いずれも上端部で上記上枠２に左右方向にスライド移動可能に吊下げ支持されている。具体的には、図３の上部に示すように、上枠２の下面にその長さ方向（左右方向）に平行に延びる前後３列の凹溝２ａ，２ａ，…が等間隔をあけて形成され、各凹溝２ａに上レール６が嵌合されて固定されている。この各上レール６は下側に開いた断面略コ字状のもので、その開口部の前後両側には水平方向に延びる軌道部６ａ，６ａが互いに対向するように上レール６の全長に亘り突設されている。各扉１１〜１３の左右方向（幅方向）両端の上端角部には吊り車装置７，７（１つのみ図示する）が取り付けられている。この各吊り車装置７は、扉１１〜１３の左右上端角部の凹陥状の嵌合部（図示せず）に嵌合状態で固定される固定部７ａと、この固定部７ａの上部に連結部７ｂを介して連結された吊り車台車部７ｄと、この吊り車台車部７ｄに各対が前後に対向するように支持され、前後水平方向の回転軸心回りに回転可能な左右２対の吊り車７ｃ，７ｃ，…（１対のみ示す）とを有する。この各対の前後の吊り車７ｃ，７ｃはそれぞれ上レール６内に嵌挿されて軌道部６ａ，６ａ上に転動可能に載置されており、この吊り車７ｃ，７ｃの軌道部６ａ，６ａ上での転動により各扉１１〜１３が上端部で上枠２に左右方向にスライド移動可能に吊下げ支持され、３枚の扉１１〜１３のスライド移動によって扉枠１内の開口が開閉されるようになっている。
【００３５】
尚、図示しないが、上レール６内の上部には、スライド移動する扉１１〜１３が所定の停止位置に近付いたときにその扉１１〜１３の一部（吊り車装置７）に係止して扉１１〜１３を所定位置にゆっくりと引き込む閉補助機構（引込機構）が収容されている。
【００３６】
図４に示すように、第１扉１１の右端部の前後面には引手１５，１５が取り付けられ、第３扉１３の左端部の前後面にも引手１５，１５が取り付けられている。第２扉１２には左右端部のいずれにも引手が取り付けられていない（尚、この第２扉１２の左右端部に引手を取り付けてもよい）。各扉１１〜１３は、上側の開口部にガラス等の透光パネル１４が嵌め込まれているものである。尚、扉１１〜１３は、透光パネルのないもの等、どのようなものであってもよい。
【００３７】
本発明の主たる特徴は、各扉１１〜１３の下端部の支持構造にある。図３及び図４に示すように、各扉１１〜１３の下面には、扉幅方向である左右方向に延びる凹溝からなる扉下ガイド溝１６が形成されている。この扉下ガイド溝１６はその長さ方向（扉幅方向）の端部が閉じられた閉塞端部を有する。そして、各扉下ガイド溝１６には閉塞端部を除く部分に断面コ字状のガイドレール１６ａが嵌合固定されており、この扉下ガイド溝１６のガイドレール１６ａにおいて、後述の床付けガイド部材１８のガイドピン１８ｂや扉付けガイド部材２１，２２のガイド部２１ｃ，２２ｃが係合状態でスライド移動するようになっている。
【００３８】
上記第２扉１２（前側から２枚目の扉）が左右方向に移動する範囲の床面上には、該第２扉１２の扉下ガイド溝１６に係合して第２扉１２を案内する第２扉用床付けガイド部材１８が固定されている。この床付けガイド部材１８の固定位置は、第２扉１２が左側移動端位置に移動したときの扉下ガイド溝１６の右端部に、また右側移動端位置に移動したときの扉下ガイド溝１６の左端部にそれぞれ相当する位置である。床付けガイド部材１８は、第２扉１２の扉下ガイド溝１６の溝幅と同程度の幅の細長い板状で床面にビス止め等により固定される取付部１８ａと、この取付部１８ａの中央部に上側に向かうように一体的に突設された丸棒状のガイドピン１８ｂとを有し、ガイドピン１８ｂが第２扉１２の扉下ガイド溝１６（詳しくはそのガイドレール１６ａ）に係合した状態で第２扉１２が左右方向にスライド移動するようになっている。尚、ガイドピン１８ｂに代えて、上下方向の回転軸心を持って転動可能なガイドローラにしてもよい。
【００３９】
また、上記第２扉１２の右端部前面には、該第２扉１２の前側に隣接する第１扉１１の扉下ガイド溝１６にスライド移動可能に係合する前側扉付けガイド部材２１が固定されている。この扉付けガイド部材２１は、第２扉１２の右端部前面にビス止め等により固定される板状の取付部２１ａと、この取付部２１ａの下端部から前側の第１扉１１の下側に第１扉１１下面及び床面との間に隙間を空けて延びる板状の水平部２１ｂとを備え、この水平部２１ｂの先端（前端）には、取付部２１ａと平行に上方に延びて第１扉１１の扉下ガイド溝１６（詳しくはそのガイドレール１６ａ）に係合されるガイド部２１ｃが一体的に固定されている。ガイド部２１ｃは、例えば円柱状部分の直径方向に対向する外周部にそれぞれ板状部分を一体に突設した形状のもので、第１扉１１の扉下ガイド溝１６に板状部分が扉下ガイド溝１６に沿うように嵌合され、その状態で扉下ガイド溝１６にスライド移動可能に係合している。尚、ガイド部２１ｃは上記とは異なる形状、例えば単なる直方体等であってもよい。
【００４０】
一方、第２扉１２の左端部後面には、第２扉１２の後側に隣接する第３扉１３の扉下ガイド溝１６にスライド移動可能に係合する後側扉付けガイド部材２２が固定されている。この扉付けガイド部材２２は、前側扉付けガイド部材２１と同じ構造のもので、第２扉１２の左端部後面にビス止め等により固定される板状の取付部２２ａと、この取付部２２ａの下端部から後側の第３扉１３の下側に第３扉１３下面及び床面との間に隙間を空けて延びる板状の水平部２２ｂとを備え、この水平部２２ｂの先端（後端）には取付部２２ａと平行に上方に延びて第３扉１３の扉下ガイド溝１６（詳しくはそのガイドレール１６ａ）に係合されるガイド部２２ｃが一体的に固定されている。ガイド部２２ｃは、前側扉付けガイド部材２１のガイド部２１ｃと同様の形状であり、第３扉１３の扉下ガイド溝１６に板状部分が扉下ガイド溝１６に沿うように嵌合され、その状態で扉下ガイド溝１６にスライド移動可能に係合している。
【００４１】
尚、扉付けガイド部材２１，２２は、第２扉１２の前後面に代え、第２扉１２の下面において、第２扉１２の扉下ガイド溝１６での床付けガイド部材１８のスライド移動が妨げられないように固定してもよい。
【００４２】
第１及び第３扉１１，１３の扉下ガイド溝１６の左右の閉塞端部内にはゴムや樹脂等の弾性を有する緩衝部材２４が嵌合されて固定されている。そして、各扉１１〜１３のスライド移動により扉下ガイド溝１６内で第２扉１２の扉付けガイド部材２１，２２のガイド部２１ｃ，２２ｃが相対移動したときに、そのガイド部２１ｃ，２２ｃを閉塞端部にある緩衝部材２４へ当てることで、ガイド部２１ｃ，２２ｃの閉塞端部自体への衝突を緩和するようにしている。尚、第２扉１２の扉下ガイド溝１６の左右の閉塞端部内にも同様の緩衝部材を嵌合固定して、床付けガイド部材１８のガイドピン１８ｂの衝突を緩和するようにしてもよい。
【００４３】
さらに、図４に示すように、上記右縦枠３の内面である左側面には、第１扉１１に対応する前後位置に、その第１扉１１の前後厚さよりも少し大きい幅の断面矩形状の凹溝３ａが右縦枠３の高さ方向の全体に亘って形成されており、第１扉１１が右側移動端位置に移動したときに、第１扉１１の右端部（戸先部）を凹溝３ａに嵌入させて、第１扉１１と右縦枠３との間の隙間による光漏れを防ぐようにしている。一方、左縦枠４の内面である右側面にも、第３扉１３に対応する前後位置に、第３扉１３の前後厚さよりも少し大きい幅の凹溝４ａが左縦枠４の高さ方向の全体に亘って形成されており、第３扉１３が左側移動端位置に移動したときに、第３扉１３の左端部（戸先部）を凹溝４ａに嵌入させて、第３扉１３と左縦枠４との間の隙間による光漏れを防ぐようにしている。
【００４４】
また、上記右縦枠３内面の凹溝３ａと第１扉１１の右端部（戸先部）との間には、その凹溝３ａ内に第１扉１１の右端部が嵌入したときに該第１扉１１の右端部が前後方向に振れるのを規制する規制機構２７が、また左縦枠４内面の凹溝４ａと第３扉１３の左端部（戸先部）との間には、その凹溝４ａ内に第３扉１３の左端部が嵌入したときに該第３扉１３の左端部が前後方向に振れるのを規制する規制機構２７がそれぞれ設けられている。これらの規制機構２７，２７は互いに同じものであり、例えば凹溝３ａ，４ａ底面の所定高さ位置に取付固定されかつ部分的に突出する凸部（図示せず）を有する枠側振れ止め金具２８と、扉１１，１３の戸先側端面を彫り込んでその内部に嵌合されて固定され、上記枠側振れ止め金具２８の凸部が嵌合可能な凹部（図示せず）を有する扉側振れ止め金具（図示せず）とを有している。上記枠側振れ止め金具２８の高さ位置は、縦枠３，４においてその上部よりも下端部（床面）に近い位置の方が扉１１，１３に対する振れ止め効果（規制効果）が高く、例えば床面から２５０ｍｍ程度が好ましい。また、枠側振れ止め金具２８の凸部は、図面では突出高さが小さく記載されているが、実際には扉１１，１３の戸先側端部内に入り込む程度まで突出している。そして、扉１１，１３の戸先側端部が縦枠３，４の凹溝３ａ，４ａに嵌入した状態で、枠側振れ止め金具２８の凸部を扉側振れ止め金具の凹部に嵌合させることで、扉１１，１３の戸先側端部が扉厚さ方向にずれて振れるのを規制するようにしている。
【００４５】
尚、枠側振れ止め金具２８と扉側振れ止め金具との凹凸構造を上記とは逆にし、枠側振れ止め金具２８は凹部を有するものとし、扉側振れ止め金具は凸部を有するものとしてもよく、同様の機能を発揮させることができる。
【００４６】
また、枠側振れ止め金具２８と扉側振れ止め金具とは凹凸構造に代えて磁石を有する構造にすることで、規制機構２７に吸着機能を持たせるようにしてもよい。例えば枠側振れ止め金具２８にＮ磁極（又はＳ磁極）を有する固定磁石を、また扉側振れ止め金具にＳ磁極（又はＮ磁極）を有する固定磁石をそれぞれ取り付け、両磁石間の吸引磁力によって扉１１，１３の戸先側端部が扉厚さ方向にずれて振れるのを規制する。その場合、扉１１，１３の戸先側端部が扉厚さ方向にずれるのを規制できるだけでなく、両磁石間の磁力によって扉１１，１３の戸先側端部を縦枠３，４に吸着保持して、その扉１１，１３が移動端位置から僅かな力が加わっても不用意に移動するのを規制することができるようになる。このことで、規制機構２７は、縦枠３，４に扉１１，１３の左右端部が当接したときに該扉１１，１３の左右端部を縦枠３，４に磁力によって吸着する吸着機能を有する。
【００４７】
以上のような構造により、第１及び第３扉１１，１３は、表裏面の色やデザイン等を含め互いに同じ構造とされており、表裏を反転させれば、第１扉１１は第３扉１３として、また第３扉１３は第１扉１１としてそれぞれ置き換えることができる。すなわち、３枚の扉１１〜１３は、第２扉１２と第１及び第３扉１１，１３との２種類となる。
【００４８】
そして、上吊り引戸Ｓは、３枚の扉１１〜１３をスライド移動させて開閉するとき、閉じ状態と第１及び第２の２つの開き状態とを取り得るようになっている。閉じ状態では、図４に示すように、第１扉１１の右端部が右縦枠３の凹溝３ａに、また第３扉１３の左端部が左縦枠４の凹溝４ａにそれぞれ嵌入され、第１扉１１の左端部が第２扉１２の右端部に、また該第２扉１２の左端部が第３扉１３の右端部にそれぞれ部分的に重なって、全ての扉１１〜１３が互いに左右方向にずれることで、扉枠１内の開口が閉じるようになっている。また、第１開き状態では、図６に示すように、第１〜第３扉１１〜１３はいずれも右側移動端位置に位置し、それらの全てが全体的に前後に重なって扉枠１内開口の左側の略２／３が開放される。一方、第２開き状態では、図９に示すように、第１〜第３扉１１〜１３はいずれも左側移動端位置に位置し、第１及び第２扉１２が全体的に前後に重なるが、これら第１及び第２扉１２を除く第３扉１３は第１及び第２扉１２よりも左側にずれた位置に位置して、扉枠１内開口の右側の略１／３が開放されるようになっている。
【００４９】
また、図８及び図９に仮想線で示すように、第１扉１１を吊り下げている上レール６内には第１扉１１の左側移動端位置を規定する関止め金具３１が取り付けられており、この関止め金具３１は、上吊り引戸Ｓが上記第２開き状態にあるときに第１扉１１が第２開き状態に対応する位置（図９に示す位置）を超えて左側に移動しないように左側移動端位置を規定している。この関止め金具３１は、上レール６内に埋め込まれて固定されており、第１扉１１が左側に移動したときにその左側の吊り車装置７の吊り車台車部７ｄに関止め金具３１が当接して、それ以上の第１扉１１の左側への移動を規制する。
【００５０】
尚、３枚の扉１１〜１３により扉枠１内の開口が閉じられた閉じ状態にあるとき、第２扉１２の前後の扉付けガイド部材２１，２２のガイド部２１ｃ，２２ｃは、そのガイド部材２１，２２が係合している第１及び第３扉１１，１３の扉下ガイド溝１６の一方の閉塞端部の緩衝部材２４と当接せずに、少しの隙間（例えば５ｍｍ程度）を空けて近接している。この隙間は、扉枠１を施工する開口部がゆがんでいる場合に、施工現場で傾き調整をできるようにするためのものである。
【００５１】
次に、上記上吊り引戸Ｓの開閉動作について説明する。図４に示すように、３枚の全ての扉１１〜１３が閉じている閉じ状態では、第１扉１１は右側移動端位置にあって右端部が右縦枠３の凹溝３ａ内に嵌入され、第３扉１３は左側移動端位置にあって左端部が左縦枠４の凹溝４ａ内に嵌入され、両扉１１，１３は各々の規制機構２７によって前後移動が規制された状態にある。また、第２扉１２は左側移動端位置にあり、床付けガイド部材１８は第２扉１２の扉下ガイド溝１６の右端部に位置し、その第２扉１２の前側扉付けガイド部材２１のガイド部２１ｃは第１扉１１の扉下ガイド溝１６の左端部に、また後側扉付けガイド部材２２のガイド部２２ｃは第３扉１３の扉下ガイド溝１６の右端部にそれぞれ位置している。
【００５２】
（第３扉の開き動作）
この閉じ状態から、後側の第３扉１３を開いて第１開き状態にするときには、後側から第３扉１３の左端部後側の引手１５を操作して、第３扉１３を右側にスライド移動させる。尚、この第３扉１３を右側にスライド移動させるに当たり、第３扉１３が第２扉１２に完全に重なるまでは第３扉１３の左端部前側の引手１５を前側から操作してもよい。第３扉１３の右側へのスライド移動に伴い、第２扉１２の後側扉付けガイド部材２２のガイド部２２ｃが第３扉１３の扉下ガイド溝１６内を相対的に左側に移動し、図５に示すように、そのガイド部２２ｃが扉下ガイド溝１６の左端部に達すると、ガイド部２２ｃが緩衝部材２４に当接して係止状態となり、第２扉１２が後側扉付けガイド部材２２を介して第３扉１３に連結される。そのため、第３扉１３の右側へのさらなるスライド移動により第２扉１２も左側移動端位置から右側にスライド移動し、その第２扉１２の扉下ガイド溝１６内を床付けガイド部材１８が相対的に左側に移動する。また、前側扉付けガイド部材２１のガイド部２１ｃも第１扉１１の扉下ガイド溝１６内を左端部から右方向に移動する。そして、図６に示すように、第３扉１３と第２扉１２とが共に右側の移動端位置に達すると、床付けガイド部材１８は第２扉１２の扉下ガイド溝１６内の左端部に到達し、第２扉１２の前側扉付けガイド部材２１のガイド部２１ｃも第１扉１１の扉下ガイド溝１６内の右端部に到達し、以上で開き動作が止まる。この間、第１扉１１は移動しない。この状態は、第１〜第３扉１１〜１３の全てが前後に重なって扉枠１内開口の左側が開放される第１開き状態となる。
【００５３】
（第３扉の閉じ動作）
上記第１開き状態から、逆に後側の第３扉１３を閉じて元の閉じ状態にするときには、第３扉１３の左端部後側の引手１５を操作して、第３扉１３を右側移動端位置から左にスライド移動させる。それに伴い、図７に示すように、第２扉１２の後側扉付けガイド部材２２のガイド部２２ｃが第３扉１３の扉下ガイド溝１６内を相対的に右側に移動する。その際、第３扉１３の左端部前側の引手１５が第２扉１２と重ならない位置まで移動したときには、その後、第３扉１３の左端部前側の引手１５を前側から操作してもよい。第２扉１２の後側扉付けガイド部材２２のガイド部２２ｃが扉下ガイド溝１６の右端部に達すると、ガイド部２２ｃが緩衝部材２４に当接して係止状態となり、第２扉１２が後側扉付けガイド部材２２を介して第３扉１３に連結される。そのため、第３扉１３の左側へのさらなるスライド移動により第２扉１２も右側移動端位置から左側に移動し、その第２扉１２の扉下ガイド溝１６内を床付けガイド部材１８が相対的に右側に移動する。また、第２扉１２の左側へのスライド移動に伴い、前側扉付けガイド部材２１のガイド部２１ｃが第１扉１１の扉下ガイド溝１６内を右端部から左方向に移動する。そして、図４に示すように、第３扉１３と第２扉１２とが共に左側の移動端位置に達すると、床付けガイド部材１８は第２扉１２の扉下ガイド溝１６内の右端部の位置に戻り、第２扉１２の前側扉付けガイド部材２１のガイド部２１ｃは第１扉１１の扉下ガイド溝１６内の左端部に到達し、以上で閉じ動作が止まる。この間も第１扉１１は移動しない。この状態は元の閉じ状態となる。
【００５４】
（第１扉の開き動作）
図４に示す上記閉じ状態から、今度は前側の第１扉１１を開くと、その第１扉１１のみが左側に移動して第２開き状態となる。このときには、第１扉１１の右端部前側の引手１５を操作して、第１扉１１を右側移動端位置から左側にスライド移動させる。尚、この第１扉１１を左側にスライド移動させる際に、第１扉１１が第２扉１２に完全に重なるまでは第１扉１１の右端部後側の引手１５を後側から操作してもよい。第１扉１１の左側へのスライド移動に伴い、図８に示すように、第２扉１２の前側扉付けガイド部材２１のガイド部２１ｃが第１扉１１の扉下ガイド溝１６内を相対的に右側に移動する。図９に示すように、そのガイド部２１ｃが扉下ガイド溝１６の右端部に達すると、第１扉１１は上レール６の関止め金具３１に移動規制されて停止して左側移動端位置に達する。この間、第２扉１２は、その扉下ガイド溝１６内の右端部に床付けガイド部材１８が位置していて左側へ移動できないので停止したままとなる。第３扉１３も停止したままである。つまり、第１扉１１は第２扉１２と共にそれに前後に重なった状態で開き動作が止まる。この状態は、第１及び第２扉１２が前後に重なり、第３扉１３が第１及び第２扉１２よりも左側に位置して、扉枠１内開口の右側が開放される第２開き状態となる。
【００５５】
（第１扉の閉じ動作）
上記第２開き状態から逆に第１扉１１を閉じて元の閉じ状態にするときには、やはり第１扉１１のみが移動する。すなわち、第１扉１１の右端部前側の引手１５を操作して、第１扉１１を左側移動端位置から右にスライド移動させる。それに伴い、図１０に示すように、第２扉１２の前側扉付けガイド部材２１のガイド部２１ｃが第１扉１１の扉下ガイド溝１６内を相対的に左側に移動する。その際、第１扉１１の右端部後側の引手１５が第２扉１２と重ならない位置まで移動したときには、その後、第１扉１１の右端部後側の引手１５を後側から操作してもよい。第２扉１２の前側扉付けガイド部材２１のガイド部２１ｃが扉下ガイド溝１６の左端部に達すると、閉じ動作が止まり、元の閉じ状態となる。第２及び第３扉１２，１３は移動しない。
【００５６】
（上吊り引戸の施工手順）
上記上吊り引戸Ｓを施工する場合、例えば、予め第２扉１２の右端部前面及び左端部後面にそれぞれ前後の扉付けガイド部材２１，２２を取り付けておく。これら扉付けガイド部材２１，２２は第２扉１２の製品段階や上吊り引戸Ｓの施工現場で取り付けられる。また、床面に床付けガイド部材１８を固定しておく。さらに、第１及び第３扉１１，１３の各扉下ガイド溝１６の閉塞端部に緩衝部材２４を嵌合固定しておく。
【００５７】
そして、第２扉１２を下面の扉下ガイド溝１６内に床付けガイド部材１８を嵌合しながら、その上端部を吊り車装置７によって上枠２の前後中央の上レール６に吊り下げる。次いで、第１扉１１を下面の扉下ガイド溝１６内に第２扉１２の前側扉付けガイド部材２１のガイド部２１ｃを嵌合しながら、その上端部を吊り車装置７によって上枠２の前側の上レール６に吊り下げる。この第１扉１１用の前側の上レール６には関止め金具３１を埋め込んでおく。その後、今度は第３扉１３を下面の扉下ガイド溝１６内に第２扉１２の後側扉付けガイド部材２２のガイド部２２ｃを嵌合しながら、その上端部を吊り車装置７によって上枠２の後側の上レール６に吊り下げる。第１及び第３扉１１，１３の施工順序を上記とは逆にして第３扉１３を先に吊り下げてもよく、或いは並行して同時に行ってもよい。
【００５８】
本実施形態に係る上吊り引戸Ｓは、上記のように、扉枠１の上枠２に３枚の扉１１〜１３がそれぞれ前後に並んだ状態で左右方向にスライド移動可能に吊下げ支持されているので、扉１１〜１３のスライド移動により扉枠１内の開口が開閉される。すなわち、各扉１１〜１３の下面に閉塞端部を有する扉下ガイド溝１６が設けられ、前側から２枚目の第２扉１２に前後２つの扉付けガイド部材２１，２２が固定され、それら扉付けガイド部材２１，２２のガイド部２１ｃ，２２ｃはそれぞれ第２扉１２に前後に隣接する第１及び第３扉１１，１３の扉下ガイド溝１６，１６にスライド移動可能に係合しているので、第１又は第３扉１１，１３を左右方向にスライド移動させると、それに伴い、該扉１１，１３の扉下ガイド溝１６，１６の閉塞端部に第２扉１２の扉付けガイド部材２１，２２のガイド部２１ｃ，２２ｃが引っ掛かり、両扉は一体的にスライド移動して開閉移動する。このような扉のスライド移動により、全ての扉１１〜１３の全体が前後に重ならないときには、扉枠１内の開口が閉じられる。また、全ての扉１１〜１３が前後に重なったときには、第１開き状態となって扉枠１内開口の左側が開放される。さらに、第１及び第２扉１２が前後に重なり、残りの扉が第１及び第２扉１２よりも左側に位置したときには、第２開き状態となって扉枠１内開口の右側が開放される。
【００５９】
そして、前側から２枚目の第２扉１２が移動する床面上に床付けガイド部材１８が固定され、この床付けガイド部材１８は第２扉１２の扉下ガイド溝１６に係合しているので、この係合により第２扉１２が床付けガイド部材１８により前後移動不能に規制されながら左右方向にスライド移動する。また、上記のように第２扉１２に固定されている前後２つの扉付けガイド部材２１，２２はそれぞれ第２扉１２に前後に隣接する第１及び第３扉１１，１３の扉下ガイド溝１６，１６にガイド部２１ｃ，２２ｃでスライド移動可能に係合しているので、第１及び第３扉１１，１３は扉付けガイド部材２１，２２により第２扉１２に対し前後移動不能に規制されながら左右方向にスライド移動する。
【００６０】
したがって、３枚の扉１１〜１３は、第２扉１２にあっては直接に、またその前後の第１及び第３扉１１，１３にあっては扉付けガイド部材２１，２２を介して間接的にそれぞれ床付けガイド部材１８に前後方向の移動が規制された状態となる。このことにより、３枚の扉１１〜１３が個別に前後方向の振れるのは勿論のこと、扉１１〜１３全体が前後方向に振れるのも規制することができ、上吊り引戸Ｓに動作の安定性が得られる。
【００６１】
しかも、３枚の扉１１〜１３の配列方向中間部に位置する第２扉１２が床付けガイド部材１８によって床に支持されているので、第１及び第３扉１１，１３から床付けガイド部材１８までの前後方向の距離が互いに同じとなって短くなり、仮に同配列方向の端部に位置する第１扉１１のみを床に支持した場合のように、第３扉１３から第１扉１１の床支持部までの前後方向の距離が長くなるようなことはなく、その分、扉１１，１３の振れを小さくすることができる。
【００６２】
また、床付けガイド部材１８は第２扉１２が移動する床面上に固定されているので、第２扉１２がどのような移動位置にあっても、その第２扉１２の下側に床付けガイド部材１８が隠蔽されるようになり、扉枠１内の開口が開く第１及び第２開き状態のいずれであっても通路となる床面上に突起部がなく、フラットな構造が得られる。この構造により、意匠性がよくなって引戸Ｓ両側の空間が一続きに見え、また通過時に足が引っ掛からず、さらには掃除がし易くなる効果を奏する。
【００６３】
また、第２扉１２に固定されている前後２つの扉付けガイド部材２１，２２は、それら扉付けガイド部材２１，２２が扉下ガイド溝１６に係合している状態にある限り、隣接する第１及び第３扉１１，１３の重なった部分の間に位置して外部から隠蔽される。このように床付けガイド部材１８だけでなく、扉付けガイド部材２１，２２も隠蔽されて、通常の状態で使用者から見えることがないので、上吊り引戸Ｓの見映えの向上を図ることができる。
【００６４】
そして、前から２枚目の第２扉１２の左右両端部にそれぞれ扉付けガイド部材２１，２２が固定され、その扉付けガイド部材２１，２２のガイド部２１ｃ，２２ｃは第１及び第３扉１１，１３の扉下ガイド溝１６，１６に係合され、第２扉１２がその扉下ガイド溝１６と第２扉１２下側の床付けガイド部材１８との係合により床に支持されているので、第１扉１１と第３扉１３とは扉下ガイド溝１６を有するだけの同じものを用いることができる。そのため、３枚の扉１１〜１３として、第２扉１２と第１及び第３扉１１，１３との２種類で済み、扉１１〜１３の種類の管理が簡単になる。また、第１扉１１と第３扉１３とは同じであるので、施工時に第１扉１１と第３扉１３とを区別する必要がなくなり、その分、施工が容易となる。
【００６５】
第１及び第３扉１１，１３の扉下ガイド溝１６の閉塞端部に緩衝部材２４が嵌合固定されているので、扉１１〜１３がスライド移動して扉付けガイド部材２１，２２のガイド部２１ｃ，２２ｃが移動し、その移動端でガイド部２１ｃ，２２ｃが扉下ガイド溝１６の閉塞端部に衝突したとしても、その衝突は閉塞端部に位置する緩衝部材２４によって緩和される。このことで、扉下ガイド溝１６の変形等による第１及び第３扉１１，１３の破損を防いで上吊り引戸Ｓの安定性や信頼性を高めることができる。
【００６６】
また、扉枠１の右縦枠３の凹溝３ａと第１扉１１の右端部との間、及び左縦枠４の凹溝４ａと第３扉１３の左端部との間にそれぞれ規制機構２７，２７が設けられているので、第１及び第３扉１１，１３の左右端部が縦枠３，４に当接したときに扉１１，１３の左右端部が前後方向に振れるのは規制される。このことで、第１及び第３扉１１，１３が前後方向に振れようとしても、その下端部が第２扉１２を介して床付けガイドによって規制されるだけでなく、左右端部も規制機構２７，２７によって規制されることとなり、上吊り引戸Ｓの動作安定性をさらに高めることができる。
【００６７】
しかも、上記規制機構２７は磁石を利用した吸着機能を有する構造にすれば、第１及び第３扉１１，１３の左右端部が縦枠３，４に当接した状態では、扉１１，１３は縦枠３，４に吸着固定され、前後方向の振れの規制だけでなく、扉１１，１３が縦枠３，４から離れて両者間に隙間が生じるのを防ぐこともできる。
【００６８】
（その他の実施形態）
上記実施形態は、上吊り引戸Ｓが閉じ状態にあるとき、前側の第１扉１１が右側に位置し、後側の第３扉１３が左側に位置するように配置されている例であるが、これとは逆に、上吊り引戸Ｓの閉じ状態で前側の第１扉１１が左側に位置し、後側の第３扉１３が右側に位置するように配置されてもよい。
【００６９】
また、上記実施形態では、第２扉１２が移動する床面のみに床付けガイド部材１８を固定し、その床付けガイド部材１８を第２扉１２下面の扉下ガイド溝１６内に係合させることで、第２扉１２のみを下端部で床面に支持するようにしている。それに加えて、前側の第１扉１１が移動する床面にも同様の第１扉用の床付けガイド部材を固定し、その床付けガイド部材を第１扉１１下面の扉下ガイド溝１６内に係合させて、第２扉１２だけでなく第１扉１１をも下端部で床面に支持するようにしてもよい。この第１扉１１下面の第１扉用扉下ガイド溝１６内に係合する床付けガイド部材の位置は、第１扉１１が右側移動端位置にあるときに、その扉下ガイド溝１６の左側閉塞端部に位置するように位置決めされる。また、その場合、第２扉１２には後側扉付けガイド部材２２のみが取り付けられ、前側扉付けガイド部材２１は省略される。このことで、第１扉１１は扉下ガイド溝１６が第１扉用床付けガイド部材に係合されて、その床付けガイド部材のみによって案内され、他の扉１２，１３と連結されずに独立してスライドするようになっている。そして、第１〜第３扉１１〜１３の閉じ状態及び開き状態は上記実施形態と同じであり、開き状態は上記実施形態の第１開き状態と第２開き状態とを取り得るようになっている。
【００７０】
こうすると、前から１枚目の第１扉１１が移動する床面上にも床付けガイド部材が固定され、この床付けガイド部材に第１扉１１の扉下ガイド溝１６が係合して案内される。このことで、２枚目の第２扉１２だけでなく１枚目の第１扉１１も下部が床付けガイドによって支持されることとなり、複数の扉１１〜１３の前後の振れをさらに効果的に規制することができる。
【００７１】
また、上記実施形態は、上吊り引戸Ｓが３枚の扉１１〜１３を有しているものであるが、扉が４枚以上であってもよい。その場合、上記後側扉付けガイド部材２２と同様の扉付けガイド部材を用い、その扉付けガイド部材を第３扉１３又はその後側にある扉の左端部の後面（又は下面）に固定し、ガイド部を扉の後側に隣接する扉の扉下ガイド溝１６にスライド移動可能に係合する。このことで、第３扉１３又は前側から４枚目以降の扉は扉付けガイド部材により間接的に第２扉１２に対し前後移動不能に規制されながら左右方向にスライド移動するようになり、４枚以上の扉であっても、上記実施形態と同様の作用効果が得られる。
【００７２】
また、前側から４枚目の扉は第１扉１１と同じものとなり、扉が５枚以上ある場合にも、その後端の扉は第１扉１１と同じものとなり、扉の種類は第１扉１１及び後端の扉と、第２扉１２と、それら以外の扉との３種類となる。
【００７３】
また、扉枠１の開口部の左右幅が大きいときには、上記実施形態のような３枚以上の扉を左右に対称に配置すればよい。
【００７４】
また、上枠２と扉１１〜１３上端部との間の隙間を通して光が漏れるのを防ぐために、上枠２の下面に扉１１〜１３の上端部を覆う幕板が固定されていてもよく、或いは扉１１〜１３の上面に上枠２と接するモヘアシールを取り付けてもよい。
【産業上の利用可能性】
【００７５】
本発明は、複数枚の扉を有する上吊り引戸における扉の個別及び全体の振れを抑制して上吊り引戸の動作安定性の向上を図り、上吊り引戸の見映えの向上を図ることができる上、扉の種類を少なくすることができるので、極めて有用で産業上の利用可能性が高い。
【符号の説明】
【００７６】
Ｓ  上吊り引戸
１  扉枠
２  上枠
３  右縦枠
４  左縦枠
１１  第１扉
１２  第２扉
１３  第３扉
１６  扉下ガイド溝
１８  第２扉用床付けガイド部材
１８ｂ  ガイドピン
２１  前側扉付けガイド部材
２１ｃ  ガイド部
２２  後側扉付けガイド部材
２２ｃ  ガイド部
２４  緩衝部材
２７  規制機構
３１  関止め金具
【図１】
2020200642.tif 000003
【図２】
2020200642.tif 000004
【図３】
2020200642.tif 000005
【図４】
2020200642.tif 000006
【図５】
2020200642.tif 000007
【図６】
2020200642.tif 000008
【図７】
2020200642.tif 000009
【図８】
2020200642.tif 000010
【図９】
2020200642.tif 000011
【図１０】
2020200642.tif 000012
【図１１】
2020200642.tif 000013
【図１２】
2020200642.tif 000014